(57)【要約】本発明に係る一実施形態では、少なくとも１つの照度状態センサを含んだディスプレイ装置を含んでいる。照度状態センサは、ディスプレイ周辺の照度状態に関するフィードバックを、ディスプレイ装置に提供可能である。その代わりに、照度状態センサからの出力は、カラー管理モジュールへの入力を提供可能である。いずれの場合でも、ディスプレイ装置が照度状態を考慮してカラーを描画するように、照度状態情報が提供可能である。
2004533012.tif 000002
【特許請求の範囲】
【請求項１】
ディスプレイ装置であって、
画像の可視表現を生成するディスプレイと、
前記ディスプレイ装置周辺の照度状態を検出する照度状態センサと、
前記センサにより検出された照度状態に応じて、ディスプレイをキャリブレーションするコンピュータ回路と、
を含むことを特徴とするディスプレイ。
【請求項２】
前記ディスプレイのディスプレイ放射特性を検出する放射センサと、前記照度状態センサにより検出された照度状態及び前記放射センサにより検出されたディスプレイ放射特性に応じてディスプレイを自動的にキャリブレーションするコンピュータ回路とを、さらに有する請求項１に記載のディスプレイ装置。
【請求項３】
前記照度状態センサと前記放射センサとは同一のセンサであり、前記センサは照度状態を検出するために第１の位置に配置可能であり且つ放射特性を検出するために第２の位置に配置可能である請求項２に記載のディスプレイ装置。
【請求項４】
前記センサは、電荷結合素子、電荷注入素子、光電子増倍管、フォトダイオード、スペクトル放射計、及び相補型金属酸化物半導体のうちの１つを有する請求項１に記載のディスプレイ装置。
【請求項５】
前記センサは、前記ディスプレイ装置の一部を形成している請求項１に記載のディスプレイ装置。
【請求項６】
ディスプレイ装置の一部を形成している照度状態センサで照度状態を検出し、
検出された照度状態に応じて前記ディスプレイ装置の表示特性を自動的に調整する、
ことを特徴とする方法。
【請求項７】
前記照度状態センサはディスプレイドライバに入力を提供し、前記ディスプレイ装置の表示特性は前記ディスプレイドライバにより自動的に調整される請求項６に記載の方法。
【請求項８】
前記照度状態センサはキャリブレーション回路に入力を提供し、前記ディスプレイ装置の表示特性は前記キャリブレーション回路により自動的に調整される請求項６に記載の方法。
【請求項９】
照度状態センサで照度状態を検出することは、電荷結合素子、電荷注入素子、光電子増倍管、フォトダイオード、スペクトル放射計、及び相補型金属酸化物半導体のうちの１つで、照度状態を検出することを有する請求項６に記載の方法。
【請求項１０】
ディスプレイ装置の一部を形成している照度状態センサで照度状態を検出し、
検出された照度状態に応じてカラーデータを調整する、
ことを特徴とする方法。
【請求項１１】
照度状態センサで照度状態を検出することは、電荷結合素子で照度状態を検出する請求項１０に記載の方法。
【請求項１２】
ディスプレイ放射特性を検出し、検出されたディスプレイ放射特性に応じてカラーデータを調整する、ことをさらに有する請求項１０に記載の方法。
【請求項１３】
ディスプレイ反射特性を検出し、検出されたディスプレイ反射特性に応じてカラーデータを調整する、ことをさらに有する請求項１０に記載の方法。
【請求項１４】
ディスプレイ放射特性を検出することは、前記照度状態センサでディスプレイ放射特性を検出する、ことを有する請求項１０に記載の方法。
【請求項１５】
カラーデータを調整することは、カラー整合モジュール内でなされる請求項１０に記載の方法。
【請求項１６】
カラーデータを調整することは、照度状態アルゴリズム及び照度状態参照テーブルのうちの１つに従ってカラーデータを調整することを有する請求項１０に記載の方法。
【請求項１７】
カラーデータを調整することは、放射特性アルゴリズム及び放射特性参照テーブルのうちの１つに従ってカラーデータを調整することをさらに有する請求項１６に記載の方法。
【発明の詳細な説明】
【技術分野】
【０００１】
本発明は、カラー画像形成、特に、カラー画像のソフト校正用ディスプレイシステムに関する。
【背景技術】
【０００２】
ディスプレイ装置には、陰極線管（ＣＲＴ）、液晶ディスプレイ（ＬＣＤ）若しくは他のフラットスクリーンディスプレイ、デジタルペーパー、プラズマディスプレイ、電子インクディスプレイ、及び画像の可視表現を生成可能な他の装置等のディスプレイを有する機器が含まれる。通例、ディスプレイ装置は、カラーを規定するのに機器依存（device-dependent）座標系を利用している。例えば、ＣＲＴディスプレイを有するディスプレイ装置は、カラーを規定するのに、赤、緑、及び青（ＲＧＢ）座標系を用いることがある。そのディスプレイ装置は、ＣＲＴディスプレイのＲＧＢ全領域内にカラー表示するのに、赤、緑、及び青の蛍光体の様々な組み合わせを用いることがある。
【０００３】
様々な画像形成装置に亘ってカラー規格を標準化しようとして、様々な機器独立（device-independent）座標系が多数開発されてきた。例えば、国際照明委員会（ＣＩＥ）は、Ｌ＊ａ＊ｂ＊カラー空間（以降、Ｌ＊ａ＊ｂ＊カラー空間、Ｌ＊ａ＊ｂ＊空間、又は単にＬ＊ａ＊ｂ＊）及びＸＹＺカラー空間（以降、ＸＹＺカラー空間、ＸＹＺ空間、又は単にＸＹＺ）等の機器独立カラー空間を、開発してきた。さらに、いくつかの他の組織及び個人が、他の機器独立カラー空間を開発してきた。
【０００４】
ディスプレイ装置上に正確にカラー描画することは非常に望ましいことである。エンドユーザに対して視覚的に満足な画像を描画することは、明らかな理由で、一般に望ましい。なお、「ソフト校正（soft-proofing）」及び他のカラー画像形成アプリケーションのような、ある種のアプリケーションには、非常に正確なカラー描画が絶対に必要とされている。
【０００５】
「ソフト校正」なる用語は、印刷されたハードコピーではなくディスプレイ装置を利用する校正過程を意味する。従来、カラー校正技術は、印刷媒体上の画像及びカラーが視覚的に正確であることを確実にするために、校正が印刷されて検査される「ハードコピー校正」に依拠していた。例えば、ハード校正過程にて、カラー特性が調整可能であり、連続したハードコピー印刷が検査可能である。特定の校正が良好である旨、確認された後、良好な校正を得るのに用いられたカラー特性が、良好な校正と視覚的に等価に見える大量の印刷媒体を、例えば印刷機又は大容量プリンタ上で大量生産するために、再利用されうる。
【０００６】
ソフト校正は、多くの理由から、望ましいものである。例えば、ソフト校正により、校正過程の際に、媒体上にハードコピーを印刷する必要がなくなる。さらに、ソフト校正により、複数の校正者が、単にディスプレイ装置を見るだけで、離れた場所からカラー画像を校正することも可能となる。ソフト校正は、ハード校正よりも、迅速かつ便利となりうる。さらに、ソフト校正により、校正過程のコストが削減される。これらの理由及び他の理由から、ソフト校正は非常に望ましいものである。
【０００７】
しかしながら、ソフト校正を実現するのは、非常に難しいことが分かっている。例えば、ハードコピーとディスプレイ装置上に提示された画像との間で、適切にカラーの整合をとることができず、このことにより、ソフト校正の効率が一般に制限されていた。カラー管理ツール及び技術が開発され、様々な装置からの出力におけるカラー整合の正確さが向上してきた。例えば、画像形成装置を分類及び規定するのに用いられるカラープロファイル、並びに、カラー整合モジュール（ＣＭＭ）のようなカラー整合ソフトウェアが、この目的のために開発されてきた。さらに、ソフト校正環境及び他のカラー画像形成における効率的なカラー整合の目標に歩み寄るべく、いくつもの変化が継続している。
【０００８】
本願では、画像なる用語は、広く、あらゆる種類のグラフィック表現を意味する。例えば、画像は、単にテキストのページ、写真、図表、又は、コンピュータのオペレーティングシステム・ソフトウェアにより生成されたボタン若しくはウィンドウのようなユーザインタフェース要素等の他の図案であってもよい。一般に、グラフィック要素又はグラフィック要素の集合は画像を含みうる。
【発明の開示】
【０００９】
本発明は、ディスプレイ装置の表示特性をディスプレイ装置周辺の照度状態に応じて自動的に調整する方法と、少なくとも１つの照度状態センサを含むディスプレイ装置と、照度状態センサを有する少なくとも１つのディスプレイ装置を含むシステムとを、含んでいる。例えば、一実施形態では、ディスプレイ装置は、画像の可視表現を生成するディスプレイを含んでもよい。また、ディスプレイ装置は、ディスプレイ装置周辺の照度状態を検出する照度状態センサを含んでもよい。さらに、ディスプレイ装置は、センサにより検出された照度状態に応じてディスプレイをキャリブレーションするコンピュータ回路を含んでもよい。その代わりに、照度状態センサからの出力は、カラー整合モジュールへの入力を提供してもよい。
【００１０】
ディスプレイ装置は、ＣＲＴ、ＬＣＤ若しくは他のフラットスクリーンディスプレイ、デジタルペーパー、プラズマディスプレイ、電子インクディスプレイ、又は画像の可視表現を生成可能な他の装置等のディスプレイを含んでもよい。照度状態センサは、ディスプレイ装置の一部を形成していてもよい。例えば、照度状態センサは、リニア電荷結合素子又は２次元アレイ電荷結合素子等の電荷結合素子（ＣＣＤ）を備えてもよい。その代わりに、照度状態センサは、電荷注入素子、光電子増倍管、フォトダイオード、相補型金属酸化物半導体（ＣＭＯＳ）、１つ若しくはそれ以上のスペクトルセンサ、又はディスプレイ装置周辺の環境の照度状態を測定可能な他の感光素子を備えてもよい。
【００１１】
照度状態センサは、ディスプレイ装置周辺の照度状態に加えて、ディスプレイ装置のディスプレイ放射特性を検出してもよい。その代わりに、ディスプレイ装置は、ディスプレイ放射特性を検出する第２のセンサを含んでもよい。
【００１２】
ディスプレイ装置は、照度状態センサに対して、あるいは、照度状態センサ及び第２のセンサに対して接続されたコンピュータ回路をさらに含んでもよい。例えば、コンピュータ回路は、検出された照度状態及び検出されたディスプレイ放射特性に応じて、ディスプレイを自動的にキャリブレーションしてもよい。その代わりに、検出された状態及び特性は、カラー整合モジュールへの入力を提供してもよい。一実施形態では、単一のセンサが、照度状態を検出するために第１の位置に配置可能であり且つ放射特性を検出するために第２の位置に配置可能である。
【００１３】
他の実施形態では、一方法は、ディスプレイ装置の一部を形成している照度状態センサで照度状態を検出すること、検出された照度状態に応じてディスプレイ装置の表示特性を自動的に調整することを含む。照度状態センサは、ディスプレイドライバへと入力を提供してもよく、ディスプレイ装置の表示特性は、ディスプレイドライバにより自動的に調整されてもよい。その代わりに、照度状態センサはキャリブレーション回路へ入力を提供してもよく、ディスプレイ装置の表示特性はキャリブレーション回路により自動的に調整されてもよい。
【００１４】
その方法は、ディスプレイ放射特性を測定すること、ディスプレイ装置の表示特性をディスプレイ放射特性に応じて自動的に調整することを、さらに含んでもよい。例えば、ディスプレイ放射特性は照度状態センサにより、あるいはその代わりに第２のセンサにより検出されてもよい。デジタルペーパー及び電子インクディスプレイ等の非放射ディスプレイ装置については、表示特性を検出することは、ディスプレイ装置を照明して、反射特性を検出することを含んでもよい。その場合、センサは、ディスプレイ装置を照明するための光源等を含んでもよい。
【００１５】
さらに別の実施形態では、方法は、ディスプレイ装置の一部を形成している照度状態センサで照度状態を検出すること、検出された照度状態に応じてカラーデータを調整することとを含んでもよい。また、照度状態センサは、電荷結合素子、電荷注入素子、光電子増倍管、フォトダイオード、相補型金属酸化物半導体、スペクトルセンサ、又はディスプレイ装置周辺の環境の照度状態を測定可能な他の感光素子を含んでもよい。
【００１６】
カラーデータを調整することは、カラー整合モジュール内でなされてもよい。例えば、調整は、照度状態アルゴリズム又は照度状態参照テーブルに従ってなされてもよい。その方法は、ディスプレイ放射特性を検出して、検出されたディスプレイ放射特性に応じてカラーデータを調整することを、さらに含んでもよい。ディスプレイ放射特性は照度状態センサにより、あるいは、その代わりに第２のセンサにより検出されてもよい。例えば、検出されたディスプレイ放射特性に応じてカラーデータを調整することは、例えば、カラー整合モジュール内で、カラーデータを変更することを含んでもよい。カラー整合モジュールは、この目的のための放射特性アルゴリズム又は放射特性参照テーブルを含んでもよい。
【００１７】
さらに別の実施形態では、システムは、ディスプレイ装置周辺の照度状態を検出する照度状態センサを含んだディスプレイ装置を含んでもよい。また、そのシステムは、センサに接続するとともに検出された照度状態に応じてカラーデータを調整するカラー整合モジュールを含んでもよい。また、照度状態センサは、電荷結合素子、電荷注入素子、光電子増倍管、フォトダイオード、相補型金属酸化物半導体、１つ若しくはそれ以上のスペクトルセンサ、又はディスプレイ装置周辺の環境の照度状態を測定可能な他の感光素子であってもよい。
【００１８】
カラー整合モジュールは、検出された照度状態に応じて、カラーデータを変更することにより、カラーデータを調整してもよい。例えば、カラー整合モジュールは、照度状態アルゴリズム又は照度状態参照テーブルに応じて、カラーデータを変更してもよい。
【００１９】
さらに、照度状態センサは、ディスプレイ装置の放射特性を検出してもよい。その代わりに、そのシステムは、ディスプレイ装置の放射特性を検出するための第２のセンサを含んでもよい。カラー整合モジュールは、検出された放射特性に応じて、例えば、カラーデータを変更することにより、カラーデータを調整してもよい。カラー整合モジュールは、放射特性アルゴリズム又は放射特性参照テーブルに従って、カラーデータの変更を実行してもよい。
【００２０】
さらに、そのシステムは、ディスプレイ装置に接続したカラー管理コントローラを含んでもよい。さらに、カラー整合モジュールは、カラー管理コントローラ内にあってもよい。さらに、そのシステムは、印刷機又は大容量プリンタ等の少なくとも１台の印刷装置を含んでもよい。印刷装置は、カラー管理コントローラに接続してもよい。また、そのシステムは、各々がカラー管理コントローラに接続され且つ各々がそれぞれのディスプレイ装置周辺の照度状態を検出する照度状態センサを含んだ複数のディスプレイ装置を含んでもよい。
【発明を実施するための最良の形態】
【００２１】
例示的な実施形態にて、本発明は、ディスプレイ装置周辺の照度状態に応じて、ディスプレイ装置の表示特性を自動的に調整する方法と、少なくとも１つの照度状態センサを含んだディスプレイ装置と、照度状態センサを有する少なくとも１つのディスプレイを含んだシステムとを含んでいる。一例では、例えば、ディスプレイ装置は、ディスプレイ装置周辺の照度状態に関するフィードバックをディスプレイ装置に提供する照度状態センサを含んでいる。ディスプレイ装置は、照度状態センサにより検出された照度状態に応じて、その表示特性を自動的に調整してもよい。その代わりに、照度状態センサからの出力は、カラー整合モジュール（ＣＭＭ）への入力を提供することもできる。
【００２２】
上述のように、ディスプレイ装置上で正確にカラー描画すること、及びディスプレイ装置からの出力と他の画像形成装置からの出力との間で正確にカラーを整合させることは、非常に望ましいことである。例えば、正確なカラー描画及び正確なカラー整合に影響する要因として、ディスプレイ装置のキャリブレーションがある。ディスプレイ装置が適切にキャリブレーションされていないと、カラー描画は正確にならない。残念なことに、表示特性は経時的に変化してゆく。例えば、ＣＲＴディスプレイの赤、緑、及び青の各蛍光体の放射特性は、所与のディスプレイの耐用期間に亘って変化しうる。さらに、個々のディスプレイ装置周辺の照度状態は、照明のスイッチ操作とともにいつでも変化しうる。
【００２３】
ディスプレイのキャリブレーション及び再キャリブレーションは、ディスプレイ装置の光放射特性を測定することにより実行可能である。例えば、このことは、ディスプレイ装置内のディスプレイの赤、緑、及び青の各蛍光体の放射特性を測定するためのスペクトル放射計のような、外部の光測定装置を用いることにより実行可能である。測定された放射特性は、定義された色度値のセットを有する目標白色点と比較されてもよい。そして、ＣＲＴの設定が、目標白色点の既知の色度値へと調整されてもよい。この調整は、手動でもよく、自動でもよい。
【００２４】
同様に、照度状態を測定するのに、外部の光測定装置を使用可能である。照度状態が変化すると、ＣＲＴの設定は、視界状態の変化を考慮して調整される。
【００２５】
図１は、本発明に係る実施形態によるブロック図である。ディスプレイ装置１０には、該ディスプレイ装置１０周辺の照度状態を検出する照度状態センサ１２が含まれてもよい。ディスプレイ装置１０には、ＣＲＴ、ＬＣＤ若しくは他のフラットスクリーンディスプレイ、デジタルペーパー、プラズマディスプレイ、電子インクディスプレイ、又は画像の可視表現を描画可能な他の装置等のあらゆる種類のディスプレイが含まれてもよい。ディスプレイ装置１０は、従来のコンピュータシステムに対して接続されてもよく、その一部を形成していてもよい。照度状態を測定することにより、照度状態センサ１２は、ディスプレイ装置１０により表示された画像の特性を制御するための重要な入力を提供することができ、それによって効率的なソフト校正に必要な、より正確なカラー整合に役立つ。
【００２６】
照度状態センサ１２には、ディスプレイ装置１０周辺の環境の照度状態を測定可能な感光性要素が、少なくとも１つ含まれうる。例えば、照度状態センサ１２は、光強度、又は光の周波数若しくは波長を測定可能であってもよい。照度状態センサ１２は、照度状態センサ１２により検出された照度状態に応じてディスプレイ装置１０の表示特性を自動的に調整するコンピュータ回路に接続されてもよい。例えば、その回路は、ディスプレイ装置１０の内部にあってもよく、ディスプレイ装置１０の外部にあってもよい。一実施形態では、コンピュータ回路は、照度状態センサ１２により検出された照度状態に応じて、ディスプレイ装置１０の表示特性を自動的に調整する。その場合、コンピュータ回路は、ディスプレイ装置１０に接続した中央演算処理装置内にあってもよい。コンピュータ回路は、様々な照度状態を補償するビデオドライバを制御してもよい。
【００２７】
以下に詳細に述べる他の実施形態では、照度状態センサ１２は、ＣＭＭへの入力を提供する。ＣＭＭは、例えば、ディスプレイ装置１０からのカラー出力をソース装置からのカラー出力と整合させるためのアルゴリズム又は参照テーブルを実装してもよい。ディスプレイ装置１０及びソース装置のカラープロファイルを、照度状態センサ１２により算出された照度状態とともに用いて、ＣＭＭは、ディスプレイ装置からの出力がソース装置からの出力とより正確に整合するように、ディスプレイ装置へと送信されるカラーデータの色彩特性を変更してもよい。このように、ビデオドライバの制御とは異なり、ＣＭＭは、センサ１２により検出された照度状態に応じて、グラフィック要素又は他の画像のカラー値を調整する。
【００２８】
図２は、本発明に係る実施形態による画像形成技術の実行に適したシステム２０を示すブロック図である。図２に示すように、システム２０には、プロセッサ２１、ユーザ入力装置２２、ディスプレイ装置２３、メモリ２４、記憶装置２５、及びプリンタ２６が含まれてもよい。例えば、ディスプレイ装置２３は、ディスプレイ装置２３周辺の照度状態を検出する統合照度状態センサ３１を有するディスプレイ装置であってもよい。
【００２９】
システム２０は、グラフィックアーチスト及び他のユーザが、電子的表示又は印刷物製作用のグラフィック画像を作成するのに用いる通常のシステムに実質的に準拠していてもよい。メモリ／バス・コントローラ２７及びシステムバス２８は、プロセッサ２１とメモリ２４とを接続しており、１つ以上のＩ／Ｏコントローラ２９及びＩ／Ｏバス３０は、プロセッサ及びメモリを、ユーザ入力装置２２、ディスプレイ装置２３、記憶装置２５、及びプリンタ２６に接続している。
【００３０】
プロセッサ２１は、汎用マイクロプロセッサの形態をとってもよく、ＰＣ、マッキントッシュ、コンピュータワークステーション、ハンドヘルドデータ端末、パームコンピュータ、デジタルペーパー等に統合されるか、それらの一部を形成してもよい。ユーザ入力装置２２には、通常のキーボード、及び、必要であれば、マウス、ペン、又はトラックボール等のポインティングデバイスが含まれてもよい。上述のように、ディスプレイ装置２３は、テキスト及び／又はグラフィック情報をユーザに対して表示する任意のディスプレイ装置であってもよい。さらに、ディスプレイ装置２３には、照度状態センサ３１が含まれてもよい。メモリ２４には、プログラムコードを格納するランダムアクセスメモリ（ＲＡＭ）が、含まれてもよい。なお、プロセッサ２１は、このプログラムコードにアクセスして実行し、カラー画像形成方法又は表示特性調整方法を実行する。
【００３１】
プログラムコードは、システム２０に関連した固定のハードドライブ又はリムーバブルメディアドライブの形態をとりうる記憶装置２５からメモリ２４内にロード可能である。例えば、プログラムコードは、最初は、磁気、光、光磁気、又は他のディスク又はテープ媒体等のコンピュータ可読媒体上に担持されてもよい。その代わり、プログラムコードは、メモリへと、電気的消去可能書込可能読出専用メモリ（ＥＥＰＲＯＭ）等の電子的コンピュータ可読媒体からロードされてもよく、ネットワーク接続を通じてダウンロードされてもよい。ダウンロードの場合、プログラムコードは、最初に搬送波内にあってもよく、別の方法により電磁信号上で伝達されてもよい。プログラムコードは、広範な画像形成機能を提供するアプリケーションプログラム内の機能として組み込まれてもよい。
【００３２】
図３に、本発明に係る実施形態によるカラー管理システムを示す。例えば、カラー整合モジュール３３は、ディスプレイ装置３４とソース装置３５との間のカラー整合に役立つコンピュータプログラムであってもよい。コンピュータプログラムは、図２に示されて上述されたシステムにて実行されてもよい。
【００３３】
ソース装置３５は、ディスプレイ装置、プリンタ又はスキャナ等の画像形成装置であってもよい。ディスプレイ装置３４は、ＣＲＴ、ＬＣＤ若しくは他のフラットスクリーンディスプレイ、デジタルペーパー、プラズマディスプレイ、電子インクディスプレイ、又は画像の可視表現を生成可能な他の装置等の任意の種類のディスプレイであってもよい。
【００３４】
ソース装置プロファイル３６及び宛先装置プロファイル３７は、ＣＭＭ３３に対して、ソース装置３５とディスプレイ装置３４との間のカラー整合に役立つ入力を提供可能である。例えば、プロファイル３６，３７は、機器依存座標系から機器独立座標系へ変換する変換を提供しうる。例えば、変換は、１つ又はそれ以上のアルゴリズム、数学的関係式、又は参照テーブルの形態をとりうる。ある種の実装例では、プロファイル３６，３７には、機器依存座標系と機器独立座標系との間の順変換及び逆変換の双方が含まれてもよい。
【００３５】
順変換は、機器依存座標系を機器独立座標系へと変換し、逆変換は、機器独立座標系を機器依存座標系へと変換する。例えば、機器独立座標系は、スペクトル座標系、ＸＹＺ座標系、Ｌ＊ａ＊ｂ＊座標系、Ｌ＊ｕ＊ｖ＊座標系、又はカスタムカラー座標系等の様々なカラー空間のいずれかであってもよい。機器依存座標系は、ＲＧＢ座標系、ＣＭＹＫ座標系等であってもよい。
【００３６】
機器プロファイル３６，３７に加えて、ＣＭＭ３３は、照度状態情報等の他の入力情報を受信してもよい。この照度状態情報は、ディスプレイ装置３４の一部を形成している照度状態センサ３９を通じて、ＣＭＭ３３へと自動的に提供可能である。そして、ＣＭＭ３３は、照度状態情報を、プロファイル３６，３７とともに用いて、ディスプレイ装置３４へと送信される機器依存座標の値を、ディスプレイ装置からの出力がソース装置３５からの出力に対してより正確に整合するように、系統的に変更してもよい。ＣＭＭ３３は、この目的のためのアルゴリズム又は参照テーブルを実装してもよい。
【００３７】
照度状態センサ３９をディスプレイ装置３４へと統合することにより、照度状態情報をＣＭＭ３３へと自動的に入力すること等のいくつもの利点が提供されうる。照度状態センサ３９は、ディスプレイ装置３４の一部を形成していれば、ディスプレイ装置３４からの出力に最も近い照度状態を常時測定可能である。ソフト校正環境では、例えば、照度状態情報は、それぞれのディスプレイ装置に関して、それぞれ異なっていてもよい。各ディスプレイ装置が、自身の統合照度状態センサ３９を有する場合には、照度状態のあらゆる変化が、識別されることになる。すなわち、照度状態センサ３９をディスプレイ装置に統合することにより、例えば、ソフト校正システムにおける２つの別々のディスプレイ装置間での位置的変化、１日の間での時間的変化、又は個々のディスプレイ装置が別の位置へと移動することによりもたらされる変化のような、照度状態の位置的又は時間的変化を、確実に、常時識別できるようになる。照度状態センサは、ディスプレイ装置周辺の照度状態を検出する能力を最適化するように配置されてもよい。例えば、一実施形態では、照度状態センサは、照度状態のみを検出して、ディスプレイ装置自体から放射された光を一切検出しないように配置されてもよい。一方、他の実施形態では、照度状態に加えて、放射特性を検出することが望ましい。
【００３８】
照度状態情報をＣＭＭ３３へと自動的に入力することにより、照度状態が変化したとしても、カラー整合が達成されることが確実になる。すなわち、照度状態情報をＣＭＭ３３へと自動的に入力することにより、同一の場所における照度状態の時間的変化が常時識別されることが、確実になる。照度状態のデフォルトの組を仮定するのではなく、照度状態情報を、時間及びディスプレイの場所で閉ループトラッキングすることにより、カラー整合の著しい利点が得られる。
【００３９】
図４及び図５に、ＣＭＭを利用しない本発明に係る実施形態を示す。ディスプレイ装置４１，５１は、それぞれの表示特性を、それぞれのディスプレイ４１，５１周辺の照度状態に応じて、自動的に調整してもよい。
【００４０】
ディスプレイ装置４１，５１には、ディスプレイ装置４１，５１に対して、ディスプレイ装置４１，５１周辺の照度状態に関するフィードバックを提供する照度状態センサ４３，５３が含まれている。ディスプレイ装置４１，５１は、その表示特性を、照度状態センサ４３，５３により検出された照度状態に応じて、自動的に調整可能である。
【００４１】
例えば、図４に示すように、ディスプレイ装置４１は、照度状態情報を受信するディスプレイドライバ４５により駆動されてもよい。ディスプレイドライバ４５は、ディスプレイ装置のディスプレイへと送信される入力パラメータを、照度状態センサ４３から受信した照度状態情報に応じて調整してもよい。このように、ディスプレイ装置４１からの出力は、ディスプレイ装置４１周辺の照度状態にかかわらず、ユーザにとって同じように見える。照度状態が変化すると、デバイスドライバ４３により算出された入力パラメータも変化する。従って、ディスプレイ装置４１からの出力は、ディスプレイ装置４１を照明する照度状態が変化したとしても、視覚的に一貫している。
【００４２】
図５に、ディスプレイ装置５１を自己キャリブレーションするのにキャリブレーション回路５５がどのように実装されるかを示す。例えば、キャリブレーション回路５５は、ディスプレイ装置５１の表示特性を、ディスプレイ装置周辺の照度状態に応じて、自動的にキャリブレーションしてもよい。照度状態センサ５３は、ディスプレイ装置５１の一部を形成するように統合されうる。照度状態センサ５３は、照度状態を検出及び測定し、照度状態に関する入力をキャリブレーション回路５５に提供する。キャリブレーション回路５５は、照度状態に応じて、ディスプレイ装置５１をキャリブレーションする。このように、ディスプレイ装置５１からの出力は、ディスプレイ装置５１を照明する照度状態が変化したとしても、視覚的に一貫している。
【００４３】
キャリブレーション回路５５は、ディスプレイ装置５１内部にあってもよい。その代わりに、キャリブレーション回路５５は、ディスプレイ装置５１に関連したコンピュータシステム内であれば、ディスプレイ装置５１外部にあってもよい。例えば、一実施形態では、キャリブレーション回路５５は、ディスプレイ装置５１に関連した中央演算処理装置（ＣＰＵ）内にあってもよい。
【００４４】
図６は、本発明に係る実施形態によるフローチャートである。図示のように、照度状態は、照度状態センサ等のディスプレイセンサで検出されうる（６１）。そして、照度状態が検出されると（６１）、ディスプレイ装置上に画像が表示される（６５）前に、照度状態に応じてディスプレイ設定が自動的に調整されうる（６３）。例えば、ディスプレイ設定の自動調整動作は、図４に示されたディスプレイドライバ等のソフトウェア内で、あるいは、図５に示されたキャリブレーション回路等のハードウェア内で実行可能である。
【００４５】
図７は、本発明に係る実施形態による他のフローチャートである。図示のように、照度状態は、照度状態センサ等のディスプレイセンサで検出されうる（７１）。そして、照度状態は、ＣＭＭへと入力される（７３）。カラーデータは、照度状態に応じて調整されうる（７５）。さらに、カラーデータは、他の入力パラメータに応じて調整されてもよい。カラーデータが調整されると、そのカラーデータは、ディスプレイ装置へと出力されうる（７７）。このように、ディスプレイ装置からの出力は、ディスプレイ装置周辺の照度状態に応じて調整可能である。
【００４６】
照度状態センサは、照度状態を測定するセンサである。照度状態センサには、少なくとも１つの感光要素が含まれてもよい。例えば、照度状態センサは、電荷結合素子（ＣＣＤ）、電荷注入素子（ＣＩＤ）、フォトダイオード、光電子増倍管、スペクトル放射計、１つ若しくはそれ以上のスペクトルセンサ、相補型金属酸化物半導体、又は他の感光素子を備えていてもよい。
【００４７】
例えば、リニアＣＣＤは、照度状態センサとして比較的低コストの選択肢を提供しうる。一般に、ＣＣＤは、電子的に光子を検出するために、シリコンチップ上に光感知材料を用いている。また、そのチップには、画像要素の横列に沿って検出された光子により発生した信号を変換するための集積回路が含まれている。個々の画像要素が一列に配列されている場合、そのＣＣＤは、リニアアレイと称される。画素が横列及び縦列に配列されている場合、そのＣＣＤは２次元アレイと称される。
【００４８】
先に詳述したように、照度状態センサをディスプレイ装置内に統合することにより、いくつかの利点が実現する。また、照度状態センサの性能を強化又は向上させるためのさらなる機能が、ディスプレイ装置に追加可能である。例えば、センサを（例えば不使用時に）環境から保護するためのセンサドアが追加可能である。さらに、照度状態センサは、開閉式に作成可能である。例えば、ディスプレイ装置は、センサの使用時にセンサを環境に露出させるようにし、センサの不使用時にセンサをディスプレイ筐体内に格納するように適合可能である。さらに、照度状態センサは、照度状態を検出する能力を最適化するように配置されてもよい。例えば、照度状態センサは、ディスプレイ装置の上部に配置されてもよく、あるいは、ディスプレイ装置が放射装置であれば、放射出力に近接させて配置されてもよい。後者の場合、ディスプレイ装置の放射出力を照度状態センサから遮蔽することが望ましい。その代わりに、以下に説明するように、照度状態センサは、ディスプレイ装置の放射特性を、ディスプレイ装置周辺の照度状態に加えて検出するために用いられてもよい。これらの特徴及び他の特徴により、照度状態センサの性能が強化される。
【００４９】
他の実施形態では、ディスプレイセンサは、照度状態検出機能を、他の検出機能とともに実行可能である。例えば、センサは、ディスプレイの放射特性を検出してもよい。そして、検出された放射特性は、照度状態情報が表示特性を自動的に調整するのに用いられたのと同様に、ディスプレイ装置を自動的に再キャリブレーションするのに用いられうる。放射特性が変動するか、それ以外に経時的に変化する場合、ディスプレイ装置は、変動を自動的に検出して、それに応じて放射パラメータを調整可能である。デジタルペーパー及び電子インクディスプレイのように、ディスプレイ装置が、非放射性であれば、センサは、ディスプレイ装置の反射特性を検出するために、発光体とともに動作してもよい。発光体は、光源等であってもよい。
【００５０】
個々のディスプレイ装置の放射特性又は反射特性を検出することは、ディスプレイ装置の全領域を測定するのに用いられうる。そして、測定された全領域は、装置のプロファイルを構築する過程に用いられうる。例えば、放射特性又は反射特性を検出することにより測定された、ディスプレイ装置の全領域は、装置の全領域を規定するのに用いられうる。そして、規定されたその全領域は、装置プロファイル内に組み入れられる。
【００５１】
センサは、開閉式に作成された場合、さらに、照度状態を検出するために第１の位置に配置され、放射又は反射特性を検出するために第２の位置に配置されうる。その代わりに、放射又は反射特性を検出する目的で、別々のセンサが実装されうる。
【００５２】
図８は、本発明に係る実施形態によるフローチャートである。図示のように、照度状態は、照度状態センサ等のディスプレイセンサで検出されてもよい（８１）。さらに、ディスプレイ装置の放射特性は、ディスプレイセンサで検出されてもよい（８３）。そして、ディスプレイ装置の設定は、センサにより検出された照度状態及び放射特性に応じて、自動的に調整されうる（８５）。このように、ディスプレイ装置は、照度状態の変化及びディスプレイ放射特性の変化を自動的に考慮可能である。他の実施形態では、非放射ディスプレイ装置が組み込まれて、ディスプレイの反射特性が検出される。その場合には、ディスプレイ設定は、照度状態及び反射特性に応じて自動的に調整される。
【００５３】
図９は、本発明に係るさらに別の実施形態によるフローチャートである。図示のように、照度状態は、照度状態センサ等のディスプレイセンサで検出されてもよい（９１）。さらに、ディスプレイ装置の放射特性は、ディスプレイセンサで検出されてもよい（９３）。そして、照度状態及び放射特性が、ＣＭＭへと入力される（９５，９７）。そして、ＣＭＭは、照度状態及び放射特性に応じて、カラーデータを調整しうる（９８）。例えば、ＣＭＭは、出力された機器依存座標を、ディスプレイ装置からの出力がソース装置からの出力に対して視覚的により正確に整合するように系統的に変更してもよい。このように、機器依存座標系を系統的な変更により、ディスプレイセンサにより検出された照度状態及び放射特性の変化を考慮可能である。カラーデータの調整後、そのカラーデータは、ディスプレイ装置へと送信されてもよい（９９）。また、非放射ディスプレイ装置を実装した同様の実施形態には、ディスプレイの反射特性を検出すること、及びその反射特性をＣＭＭへと入力することが含まれる。
【００５４】
図１０に、例示的なソフト校正システム１００を示す。ソフト校正システム１００は、校正過程における正確なカラー生成及びカラー整合を実現するために、本発明の１つ又はそれ以上の側面を実装してもよい。ソフト校正システム１００には、１つ又はそれ以上の校正ステーション１０１Ａ〜１０１Ｄが含まれてもよい。校正ステーション１０１Ａ〜１０１Ｄには、統合照度状態センサ１０２Ａ〜１０２Ｄを有するディスプレイ装置が含まれてもよい。これらの照度状態センサ１０２Ａ〜１０２Ｄは、上述のように動作してもよい。
【００５５】
また、ソフト校正システム１００には、ソフト校正カラー管理コントローラ１０５が含まれもよい。ソフト校正カラー管理コントローラ１０５には、１つ又はそれ以上のＣＭＭ、ディスプレイドライバ、又はキャリブレーション回路が含まれてもよい。さらに、ソフト校正カラー管理コントローラ１０５は、校正ステーション１０１Ａ〜１０１Ｄに対応したそれぞれのディスプレイ装置の照度状態センサ１０２Ａ〜１０２Ｄから、照度状態情報を受信してもよい。ソフト校正管理コントローラ１０５は、それぞれの照度状態センサから提供された情報を、それぞれの校正ステーション１０１Ａ〜１０１Ｄにて描画される画像が、確実に、視覚的に等価に見えるように用いてもよい。
【００５６】
また、ソフト校正システム１００には、印刷機等の少なくとも１台の印刷装置１０８が含まれてもよい。動作の際、ソフト校正システム１００は、それぞれの校正ステーション１０１Ａ〜１０１Ｄにて、カラー画像を生成してもよい。色彩専門家は、それぞれの校正ステーション１０１Ａ〜１０１Ｄにて画像を検査し、画像の視覚的体裁を調整してもよい。一旦、校正ステーション１０１Ａ〜１０１Ｄにて画像が良好に見えたなら、印刷装置１０８は、校正ステーション１０１Ａ〜１０１Ｄにて表示された画像と視覚的に等価に見える大量の印刷媒体を、大量印刷するのに用いられうる。重要なことであるが、以上概説された技術及び教示内容を実施することは、校正ステーション１０１Ａ〜１０１Ｄに現れる画像が、確実に、印刷装置１０８により印刷された画像と実際に視覚的に等価に見えるようにするのに役立ちうる。校正ステーション１０１Ａ〜１０１Ｄ及び印刷装置１０８を、ソフト校正管理コントローラ１０５に接続している通信リンク１０９Ａ〜１０９Ｅは、有線であっても無線であってもよい。
【図面の簡単な説明】
【００５７】
【図１】本発明に係る実施形態によるブロック図である。
【図２】本発明に係る実施形態による画像形成技術の実行に適したシステムを示すブロック図である。
【図３】本発明に係る実施形態によるカラー管理システムの説明図である。
【図４】ＣＭＭを利用しない本発明に係る実施形態によるブロック図である。
【図５】ＣＭＭを利用しない本発明に係る実施形態によるブロック図である。
【図６】本発明に係る実施形態によるフローチャートである。
【図７】本発明に係る実施形態によるフローチャートである。
【図８】本発明に係る実施形態によるフローチャートである。
【図９】本発明に係る実施形態によるフローチャートである。
【図１０】例示的なソフト校正システムの説明図である。
【図２】
2004533012.tif 000003
【図３】
2004533012.tif 000004
【図４】
2004533012.tif 000005
【図５】
2004533012.tif 000006
【図６】
2004533012.tif 000007
【図７】
2004533012.tif 000008
【図８】
2004533012.tif 000009
【図９】
2004533012.tif 000010
【図１０】
2004533012.tif 000011
【国際公開パンフレット】
2004533012.tif 000012
2004533012.tif 000013
2004533012.tif 000014
2004533012.tif 000015
2004533012.tif 000016
2004533012.tif 000017
2004533012.tif 000018
2004533012.tif 000019
2004533012.tif 000020
2004533012.tif 000021
2004533012.tif 000022
2004533012.tif 000023
2004533012.tif 000024
2004533012.tif 000025
2004533012.tif 000026
2004533012.tif 000027
2004533012.tif 000028
2004533012.tif 000029
2004533012.tif 000030
2004533012.tif 000031
2004533012.tif 000032
2004533012.tif 000033
2004533012.tif 000034
2004533012.tif 000035
2004533012.tif 000036
2004533012.tif 000037
2004533012.tif 000038
2004533012.tif 000039
2004533012.tif 000040
【国際調査報告】
2004533012.tif 000041
2004533012.tif 000042
2004533012.tif 000043